(57)【要約】      （修正有）【課題】障害発生時における情報通信機器間の通信ロスを抑制できるネットワークシステムを提供する。【解決手段】ネットワークシステムは、情報通信機器に接続されて信号形態を変換する変換装置２０ａが、一の伝送路３０ａと他の一又は複数の冗長伝送路３０ｂとを接続して形成され、複数の情報通信機器が、当該情報通信機器に接続される当該変換装置を介して構成されるネットワークシステムであって、前記変換装置が、隣接する一の情報通信機器の障害を検知した場合に、隣接する他の変換装置２０ｂに対して、一の伝送路及び、他の一又は複数の冗長伝送路のうち少なくとも２つの伝送路から、障害発生情報を同時送信する障害発生通知手段と、前記同時送信された障害発生情報を受信した場合に、前記一の情報通信機器に障害が発生したことを検出する障害発生検出手段とを備える。【選択図】図１
2018082294.tif 000002
【特許請求の範囲】
【請求項１】
情報通信機器に接続されて信号形態を変換する変換装置が、一の伝送路と他の一又は複数の冗長伝送路とを接続して形成され、複数の情報通信機器が、当該情報通信機器に接続される当該変換装置を介して構成されるネットワークシステムにおいて、
前記変換装置が、
隣接する一の情報通信機器の障害を検知した場合に、隣接する他の前記変換装置に対して、前記一の伝送路及び、前記他の一又は複数の冗長伝送路のうち少なくとも２つの伝送路から、障害発生情報を同時送信する障害発生通知手段と、
前記同時送信された障害発生情報を受信した場合に、前記一の情報通信機器に障害が発生したことを検出する障害発生検出手段と、
を備えることを特徴とする
ネットワークシステム。
【請求項２】
請求項1に記載のネットワークシステムにおいて、
前記変換装置が、障害を検知した場合に、一定時間経過後に障害が復旧していない場合に限り、前記障害発生通知手段に対して、前記同時送信を行うことを指示する送信指示手段を備えることを特徴とする
ネットワークシステム。
【請求項３】
請求項1又は請求項２に記載のネットワークシステムにおいて、
前記変換装置が、物理層に準拠した通信方式に基づく装置であることを特徴とする
ネットワークシステム。
【請求項４】
請求項1〜３のいずれかに記載のネットワークシステムにおいて、
前記障害発生情報が、IEEE802.3規格に基づくＲＦ信号であることを特徴とする
ネットワークシステム。
【発明の詳細な説明】
【技術分野】
【０００１】
本発明は、情報通信機器間で送受信されるデータの信号形態を変換する変換装置から構成される冗長化された通信網を中継して、情報通信機器間のデータ通信を行うネットワークシステムに関し、特に、障害発生時における通信ロスを抑制できるネットワークシステムに関する。
【背景技術】
【０００２】
現在、各種の情報通信機器においては、一般に、通信網を中継してデータ通信が行われている。このような情報通信機器の一例としては、スイッチングハブがある。例えば、従来、スイッチングハブを中継する通信網では、ＯＳＩ参照モデルにおける物理層に準拠した通信方式に基づいて、信号形態を変換する変換装置として、メディアコンバータ（光伝送装置ともいう）（略称ＭＣ）が一般に使用されている（例えば、特許文献１及び２）。通信網を形成するメディアコンバータ間では、単ポート接続が基本構成となっており、一般的なメディアコンバータは、通信障害が発生した際には、物理層で障害を検知し、ＩＥＥＥ８０２．３に準拠して物理層上でＬＦＳ（Link Fault Signaling）信号を用いてリンク情報伝達を行い、障害の発生を接続相手に通知している。ＬＦＳ信号とは、ＬＦ(Local Fault)信号及びＲＦ(Remote Fault)信号という２つの信号から構成されるものである。
【０００３】
さらに、現在では、通信障害が発生する可能性を考慮し、フォールトトレラントの観点から、冗長化された変換装置が望まれている。このような変換装置として、例えば、複数のポートを持たせるものがあり、例えば、プライマリ用とセカンダリ用（バックアップ用）の２つのポートを有する変換機器（別名２ポートセレクタともいう）が提案されている。
【０００４】
２ポートセレクタは、隣接するスイッチングハブとの間で通信障害が発生した際には、当該通信障害が発生した事実を、該当のスイッチングハブとの間で完結し、外部には通知しない仕様となっている。換言すると、２ポートセレクタは、当該障害発生の事実を、隣接する２ポートセレクタには標準では通知しない仕様となっており、すなわち、対向するスイッチングハブには通知されない仕様となっている。
【０００５】
この理由としては、当該障害発生の事実を、隣接する２ポートセレクタに通知（障害通知）したとしても、２ポートセレクタ自体が複数ポートによる冗長構成（経路が１対２の構成）を有することから、いずれかのポートを使って、通信障害が発生したスイッチングハブに対しても継続して通信は行われるため、障害通知を行ったところでその効果が無いということが挙げられる。さらに、そもそも、一般的な２ポートセレクタは、ＯＳＩ参照モデルにおける物理層に準拠した通信方式に基づくことから、２ポートセレクタ間で（さらには対向するスイッチングハブまで）障害発生を通知するような制御信号は標準では持ち合わせていないという仕様上の制約も挙げられる。
【０００６】
このようなことから、２ポートセレクタは、現状では、隣接するスイッチングハブ間で一心断の通信障害が発生した際には、対向するスイッチングハブまで障害通知を行う手段が無いことから、通信障害を検知できない対向するスイッチングハブは、通常通り、通信信号の送信を継続し、結果として、複数ポートで冗長化された装置構成に起因して、通信ロスが生じているという課題がある。
【先行技術文献】
【特許文献】
【０００７】
【特許文献１】特開２００３−１８１７１号公報
【特許文献２】特開２０１５−１２３４６号公報
【発明の概要】
【発明が解決しようとする課題】
【０００８】
このように、従来では、冗長構成を有する変換装置では、障害の発生を、対向する情報通信機器（例えば、対向するスイッチングハブ）が検知できないという課題があった。
【０００９】
本発明は、前記課題を解消するためになされたものであり、障害発生時における情報通信機器間の通信ロスを抑制できるネットワークシステムを提供することを目的とする。
【課題を解決するための手段】
【００１０】
本願に開示するネットワークシステムは、情報通信機器に接続されて信号形態を変換する変換装置が、一の伝送路と他の一又は複数の冗長伝送路とを接続して形成され、複数の情報通信機器が、当該情報通信機器に接続される当該変換装置を介して構成されるネットワークシステムであって、前記変換装置が、隣接する一の情報通信機器の障害を検知した場合に、隣接する他の前記変換装置に対して、前記一の伝送路及び、前記他の一又は複数の冗長伝送路のうち少なくとも２つの伝送路から、障害発生情報を同時送信する障害発生通知手段と、前記同時送信された障害発生情報を受信した場合に、前記一の情報通信機器に障害が発生したことを検出する障害発生検出手段とを備えるものである。
【００１１】
このように、前記変換装置において、前記障害発生通知手段が、障害を検知した場合に、前記障害発生情報を同時送信すると共に、前記障害発生検出手段が、当該同時送信された障害発生情報を受信した場合に、前記一の情報通信機器に障害が発生したことを検出することから、冗長構成を有する前記変換装置においても、前記一の情報通信機器に障害が発生したことが検出できることとなり、より確実に、障害発生を、前記一の情報通信機器（例えば、対向ハブ）にまで連携することができる。
【００１２】
本願に開示するネットワークシステムは、必要に応じて、前記変換装置が、障害を検知した場合に、一定時間経過後に障害が復旧していない場合に限り、前記障害発生通知手段に対して、前記同時送信を行うことを指示する送信指示手段を備えるものである。このように、前記変換装置において、前記送信指示手段が、障害を検知した場合に、一定時間経過後に障害が復旧していない場合に限り、前記障害発生通知手段に対して、前記同時送信を行うことを指示することから、短時間の障害発生または瞬間的な障害発生が起きる瞬断時には、前記一の情報通信機器（例えば、対向ハブ）にまで、障害発生を通知しないこととなり、不要な通信量を抑制すると共に、前記一の情報通信機器（例えば、対向ハブ）に不要な通知を送信することを抑制することができる。
【００１３】
本願に開示するネットワークシステムは、必要に応じて、前記変換装置が、物理層に準拠した通信方式に基づく装置であるものである。このように、前記変換装置が、物理層に準拠した通信方式に基づくことから、既存のネットワーク構成を変更することなく、前記障害通知が発信されることとなり、低コストで容易に前記変換装置を導入することができる。
【００１４】
本願に開示するネットワークシステムは、必要に応じて、前記障害発生情報が、IEEE802.3規格に基づくＲＦ信号であるものである。このように、前記障害発生情報がＲＦ信号であることから、既存のＲＦ信号によって、障害発生を通知できることとなり、低コストで簡易に障害発生を検知することができる。
【図面の簡単な説明】
【００１５】
【図１】本発明の第１の実施形態に係るネットワークシステムの構成図を示す。
【図２】本発明の第１の実施形態に係るネットワークシステムの構成図を示す。
【図３】本発明の第２の実施形態に係るネットワークシステムの構成図を示す。
【図４】本発明のその他の実施形態に係るネットワークシステムの構成図を示す。
【発明を実施するための形態】
【００１６】
（第１の実施形態）
本願の第１の実施形態に係るネットワークシステムを、図１および図２の構成図に従い説明する。
【００１７】
第１の実施形態に係るネットワークシステムは、情報通信機器の一例としてスイッチングハブを用いた構成であり、図１（ａ）に示すように、スイッチングハブ１０に接続されて信号形態を変換する変換装置２０が、一の伝送路３０ａと他の一の冗長伝送路３０ｂとを接続して形成され、複数のスイッチングハブ１０ａおよび１０ｂが、これらスイッチングハブ１０ａおよび１０ｂに接続される変換装置２０ａおよび２０ｂを介して構成される。
【００１８】
さらに、図１（ａ）に示すように、この変換装置２０ａ（総括して変換装置２０ともいう）が、隣接する一のスイッチングハブ１０ａの障害Ａを検知した場合に、隣接する他の変換装置２０ｂに対して、一の伝送路３０ａと他の一の冗長伝送路３０ｂ（総括して伝送路３０ともいう）のうち少なくとも２つの伝送路３０から、障害発生情報Ｂを同時送信する障害発生通知手段２１（２１ａおよび２１ｂ）と、この同時送信された障害発生情報Ｂを受信した場合に、前記一のスイッチングハブ１０ａに障害が発生したことを検出する障害発生検出手段２２（２２ａおよび２２ｂ）と、を備える構成である。
【００１９】
この変換装置２０としては、物理層に準拠した通信方式に基づくことが好ましい。既存のネットワーク構成を変更することなく、前記障害発生情報Ｂの疎通が行えることとなり、低コストで容易なネットワーク構成が可能となる。このような変換装置２０としては、特に、プライマリ用とセカンダリ用（バックアップ用）の２つのポートを有する２ポートセレクタを用いることができる。この一の伝送路３０ａと他の一の冗長伝送路３０ｂを含む伝送路３０としては、ポートを用いることができる。
【００２０】
また、障害発生情報Ｂは、特に限定されないが、IEEE802.3規格に基づくＲＦ信号を用いる。障害発生情報ＢがＲＦ信号であることにより、既存のＲＦ信号によって、新たな信号を用いることなく、障害発生を通知できることとなり、低コストで簡易に障害発生を検知することができる。
【００２１】
上記構成に基づいて、１０ＧＢＡＳＥ回線で構成されたネットワークに対して本実施形態を適用した構成を、図２に示す。この構成に基づいて、本実施形態における動作を以下に記載する。
【００２２】
先ず、スイッチングハブ１０ａで光信号受信断が発生した場合に、スイッチングハブ１０ａから、隣接する変換装置２０ａである２ポートセレクタに対してRF信号が送信される。次に、２ポートセレクタで、この送信されたRF信号に基づいて、該当するユーザポートダウン処理が行われる。
【００２３】
次に、２ポートセレクタは、対向する２ポートセレクタ（変換装置２０ｂ）に対して、２つのポートを使って（プライマリ及びセカンダリの両方のセグメント間で）RF信号を同時送信する。このＲＦ信号によって、２ポートセレクタ（変換装置２０ｂ）は、対向するスイッチングハブ１０ｂに対して、ポートダウン処理を行うように通信を行う。
【００２４】
このような処理によって、変換装置２０において、前記障害発生通知手段２１が、当該変換装置２０ａに隣接する一のスイッチングハブ１０ａでの障害を検知した場合に、障害発生情報Ｂを同時送信すると共に、当該変換装置２０ａに対向する変換装置２０ｂにおける前記障害発生検出手段２２が、当該同時送信された障害発生情報Ｂを受信した場合に、一のスイッチングハブ１０ａに障害Ａが発生したことを検出することから、冗長構成を有する２ポートセレクタのような変換装置２０においても、当該変換装置２０ａに隣接するスイッチングハブ１０ａに障害Ａが発生したことが対向するスイッチングハブ１０ｂで検出できることとなり、より確実に、障害発生を、対向ハブ（スイッチングハブ１０ｂ）にまで連携することができる。
【００２５】
すなわち、RF信号をプライマリ及びセカンダリの両方のセグメント間に伝えることにより、冗長構成をとる変換装置２０であっても、障害の発生を対向機器にまで、検知させることができる。
【００２６】
（第２の実施形態）
本願の第２の実施形態に係るネットワークシステムを、図３に従い説明する。
【００２７】
第２の実施形態に係るネットワークシステムは、図３（ａ）に示すように、前記第１の実施形態に係るネットワークシステムと同じく、前記スイッチングハブ１０と、前記変換装置２０と、前記障害発生通知手段２１と、前記障害発生検出手段２２と、前記伝送路３０とを備え、さらに、障害を検知した場合に、一定時間経過後に障害が復旧していない場合に限り、前記障害発生通知手段２１に対して、前記同時送信を行うことを指示する送信指示手段２３を備える構成である。
【００２８】
第２の実施形態に係るネットワークシステムは、図３（ａ）に示すように、前記第１の実施形態に係るネットワークシステムと同じく、前記スイッチングハブ１０と、前記変換装置２０と、前記障害発生通知手段２１と、前記障害発生検出手段２２と、前記伝送路３０とを備え、さらに、障害を検知した場合に、一定時間経過後に障害が復旧していない場合に限り、前記障害発生通知手段２１に対して、前記同時送信を行うことを指示する送信指示手段２３を備える構成である。
【００２９】
上記構成に基づいて、１０ＧＢＡＳＥ回線で構成されたネットワークに対して本実施形態を適用した構成を、図３（ｂ）に示す。図に示すように、２ポートセレクタ２０は、送信指示手段２３として時間計測を行うクロックカウンタを備える。このクロックカウンタでカウントされた時間が閾値以上の場合に限り、前記障害発生通知手段２１は、前記同時送信を行う。この閾値、すなわち瞬断時間(クロックカウント数)は、任意に設定可能である。この構成に基づいて、本実施形態における動作を以下に記載する。
【００３０】
先ず、スイッチングハブ１０ａと２ポートセレクタ２０ａ間（SW-HUB1とOPT1間）に、瞬断により障害Ａが発生した場合、２ポートセレクタ２０ａのポート（OPT1）で障害Ａを検出した時点から、クロック数をカウントする。
【００３１】
障害Ａの発生から予め設定した設定カウント数（閾値）が経過した時点で、障害Ａが復旧した場合、すなわち、障害継続時間が予め設定した設定カウント数（閾値）未満の場合は、障害と認識せずにポート（OPT2およびOPT3）に対する前記同時送信は行わない。
【００３２】
また、障害Ａの発生から予め設定した設定カウント数（閾値）が経過した時点で、障害Ａが継続した場合、すなわち、障害継続時間が予め設定した設定カウント数（閾値）以上の場合は、障害と認識し、前記第１の実施形態と同様に、ポート（OPT2およびOPT3）に対する前記同時送信を実施する。
【００３３】
すなわち、２ポートセレクタ２０ａは、ポート（OPT1）で障害Ａを検出した場合には、自ポート（OPT2とOPT3）両方(AND条件)から、対向する２ポートセレクタ２０ｂに、RF信号を送信する。自ポート（OPT2とOPT3）両方(AND条件)からRF信号を受信した２ポートセレクタ２０ｂは、自ポート（OPT1）からRF信号をスイッチングハブ１０ｂに送信する。当該スイッチングハブ１０ｂは、このRF信号を受信することによって、障害検出が可能となる。
【００３４】
なお、前記閾値（クロックカウンタ数）が0の場合は、前記第１の実施形態と同様の動作となる。
【００３５】
なお、障害個所がポート（OPT2）間経路とポート（OPT3）間経路で同時に発生した場合も、２ポートセレクタ２０間のポートでRF信号の同時送信（AND条件）が成立することから、対向するスイッチングハブ１０ｂで障害検出が可能となる。
【００３６】
このように、２ポートセレクタ２０ａは、スイッチングハブ１０ａと自ポート（OPT1）間で瞬断(人や自然等の力が働き一時的にロスが大きくなり断線するがすぐに復旧する)が発生した場合は経路全体として障害と認識しないという動作が可能となる。すなわち、瞬断時には、対向ハブであるスイッチングハブ１０ｂにまで、障害発生を通知しないこととなり、不要な通信量を抑制すると共に、対向ハブに不要な通知を送信することを抑制することができる。
【００３７】
（その他の実施形態）
なお、上記では、変換装置２０ａとして、２ポートセレクタを挙げたが、２ポートで冗長化された変換装置に限定されない。例えば、その他の実施形態に係るネットワークシステムとしては、図４（ａ）に示すように、変換装置２０ａが有する伝送路３０として、一の伝送路３０ａの他に、他の複数の冗長伝送路（３０ｂ、３０ｃ・・・）を備えることも可能である。
【００３８】
この構成によって、例えば、変換装置２０ａが接続する複数のスイッチングハブ１０ａのうち、一のスイッチングハブ１０ａに障害が発生した場合には、一の伝送路３０ａ及び他の冗長伝送路３０ｂで前記同時送信を行い、他のスイッチングハブ１０ａに障害が発生した場合には、一の伝送路３０ａ及び他の冗長伝送路３０ｃで前記同時送信を行う等の同時送信で使用する伝送路３０の組み合わせによって、対向するスイッチングハブ１０ｂに対して、どのスイッチングハブ１０ａで障害が発生しているかを通知することも可能となり、より細かな障害通知を実現することができる。
【００３９】
また、このような数ポート（伝送路）の構成は、図４（ｂ）および（ｃ）に示すように、スイッチングハブ１０間経路の冗長構成をN対M(N,M≧1)として、上記第２の実施形態で用いたクロックカウンタを備える構成でも適用が可能である。
【００４０】
図４（ｂ）では、ネットワークシステムは、SW-HUB1⇔OPT1-OPT2⇔OPT2-OPT1⇔SW-HUB2とSW-HUB3⇔OPTN-OPTM⇔OPTM-OPTN⇔SW-HUB4の2系統から構成される。スイッチングハブ１０（SW-HUB1）とポート（OPT1）間で検出した障害は、対向するスイッチングハブ１０（SW-HUB2）で障害検出することができる一方で、他のスイッチングハブ１０の経路（SW-HUB3〜SW-HUB4）へは影響しない。
【００４１】
図４（ｃ）に示すように、対向する２つのスイッチングハブ１０間（SW-HUB1〜SW-HUB2）の経路に全てのポート（OPT1-N）を接続した場合は、ポートの同時送信（AND条件）を組み合わせることによって、対向するスイッチングハブ１０（SW-HUB2）で障害検出が可能になる。このように、他の変換装置２０のポート割り当ての構成によって、任意に障害検知の構成を簡易に得ることが可能であることから、本冗長構成の変換装置２０を用いたネットワークシステムの応用範囲は、広範に及ぶものである。
【００４２】
なお、上記の各実施形態では、情報通信機器としてスイッチングハブを用いたが、前記変換装置から構成される通信網を中継してデータ通信を行える情報通信機器であれば、この構成に限定されるものではない。例えば、情報通信機器として、ルーターやPC端末等を用いて、上記の各実施形態で示したネットワークシステムを構築することもでき、上記の各実施形態と同様に、障害発生時に、このような情報通信機器間の通信ロスを抑制できるネットワークシステムを実現することができる。
【符号の説明】
【００４３】
１０  スイッチングハブ
１０ａ  スイッチングハブ
１０ｂ  スイッチングハブ
２０  変換装置
２０ａ  変換装置
２０ｂ  変換装置
３０  伝送路
３０ａ  一の伝送路
３０ｂ  冗長伝送路
３０ｃ  冗長伝送路
２１  障害発生通知手段
２１ａ  障害発生通知手段
２１ｂ  障害発生通知手段
２２  障害発生検出手段
２２ａ  障害発生検出手段
２２ｂ  障害発生検出手段
【図１】
2018082294.tif 000003
【図２】
2018082294.tif 000004
【図３】
2018082294.tif 000005
【図４】
2018082294.tif 000006